(57)【要約】【課題】  より合理的に構成された緩衝装置を得ること。【解決手段】  電子装置１の筐体１０の内部に緩衝部材２００を装着してなる緩衝装置において、筐体は、電池６０を収納する電池収納部１４を備え、電池収納部には、緩衝部材を貫通する通孔１６を設け、緩衝部材は、通孔に貫通して筐体の内部に装着されるものとし、且つ電子装置の使用時には取外すものであり、緩衝部材が装着された状態においては、緩衝部材が電池収納部への電池の収納の妨げとなるようにした。また、通孔には、筐体の内部に向って延出するパイプ状のガイド部１７を設けた。【選択図】図３
2008247438.tif 000002
【特許請求の範囲】
【請求項１】
電子装置の筐体の内部に緩衝部材を装着してなる緩衝装置において、
前記筐体は、電池を収納する電池収納部を備え、
前記電池収納部には、前記緩衝部材を貫通する通孔を設け、
前記緩衝部材は、前記通孔に貫通して前記筐体の内部に装着されるものとし、且つ前記電子装置の使用時には取外すものであり、
前記緩衝部材が装着された状態においては、前記緩衝部材が前記電池収納部への前記電池の収納の妨げとなるようにしたことを特徴とする緩衝装置。
【請求項２】
前記筐体は、前記電池収納部を覆う蓋体を備え、
前記筐体の内部に前記緩衝部材が装着された状態においては、前記緩衝部材の端部が前記蓋体に突き当たることにより、前記緩衝部材が抜け止めされるようにしたことを特徴とする請求項１記載の緩衝装置。
【請求項３】
前記通孔には、前記筐体の内部に向って延出するパイプ状のガイド部を設けたことを特徴とする請求項１又は２記載の緩衝装置。
【請求項４】
電子装置の筐体の内部に緩衝部材を装着してなる緩衝装置において、
前記筐体は、前記緩衝部材を貫通する通孔を設け、
前記緩衝部材は、前記通孔に貫通して前記筐体の内部に装着されるものとし、
前記通孔には、前記筐体の内部に向って延出するパイプ状のガイド部を設けたことを特徴とする緩衝装置。
【発明の詳細な説明】
【技術分野】
【０００１】
本発明は、電子装置の筐体の内部に緩衝部材を装着する装置に関する。
【背景技術】
【０００２】
一般に、商品を梱包する際には、必要に応じて緩衝部材が設けられる。特許文献１乃至３には、その際に利用する各種緩衝部材の構成が開示されている。
【特許文献１】特開２００１−２２５８８８号公報
【特許文献２】特開２００１−２７８２５８号公報
【特許文献３】特開２００５―２２７１７号公報
【発明の開示】
【発明が解決しようとする課題】
【０００３】
さて、電子装置の梱包においては、緩衝部材を電子装置の筐体の内部に装着する場合がある。例えば、からくり時計のような時計装置は、筐体の内部に装飾体を駆動する駆動機構が設けられており、搬送の際に生じる振動や衝撃等から駆動機構を保護すべく、筐体の内部の適宜部位に緩衝部材を装着する。緩衝部材は、筐体の内部の隙間に挿入して装着され、電子装置の使用時には、取外される。
【０００４】
ところで近年、電子装置はより多機能化、稠密化される傾向にあり、電子装置の設計においては、各構成部材を設置するスペースの有効利用が重要とされている。そして、筐体の内部に装着する緩衝部材についても、これを装着する隙間の狭小化に応じた工夫が必要とされている。また特に、筐体の外部から緩衝部材を確認することが困難となる場合は、緩衝部材を装着したまま電子装置を使用してしまう可能性がある。故に、そのような事態を防止するための構成も必要とされている。
【０００５】
本発明は、かかる事情に鑑みてなされたものであり、その目的は、より合理的に構成された緩衝装置を提供することである。
【課題を解決するための手段】
【０００６】
本願第１請求項に記載した発明は、電子装置の筐体の内部に緩衝部材を装着してなる緩衝装置において、前記筐体は、電池を収納する電池収納部を備え、前記電池収納部には、前記緩衝部材を貫通する通孔を設け、前記緩衝部材は、前記通孔に貫通して前記筐体の内部に装着されるものとし、且つ前記電子装置の使用時には取外すものであり、前記緩衝部材が装着された状態においては、前記緩衝部材が前記電池収納部への前記電池の収納の妨げとなるようにした構成の緩衝装置である。
【０００７】
本願第２請求項に記載した発明は、請求項１において、前記筐体は、前記電池収納部を覆う蓋体を備え、前記筐体の内部に前記緩衝部材が装着された状態においては、前記緩衝部材の端部が前記蓋体に突き当たることにより、前記緩衝部材が抜け止めされるようにした構成の緩衝装置である。
【０００８】
本願第３請求項に記載した発明は、請求項１又は２において、前記通孔には、前記筐体の内部に向って延出するパイプ状のガイド部を設けた構成の緩衝装置である。
【０００９】
本願第４請求項に記載した発明は、電子装置の筐体の内部に緩衝部材を装着してなる緩衝装置において、前記筐体は、前記緩衝部材を貫通する通孔を設け、前記緩衝部材は、前記通孔に貫通して前記筐体の内部に装着されるものとし、前記通孔には、前記筐体の内部に向って延出するパイプ状のガイド部を設けた構成の緩衝装置である。
【発明の効果】
【００１０】
本発明によれば、より合理的に構成された緩衝装置を得ることができる。
【発明を実施するための最良の形態】
【００１１】
以下に、本発明の実施例を図面に基づいて説明する。図１乃至図８に示す電子装置１は、装飾体１１０を駆動する駆動機構１００を備えたアナログ式の時計装置であり、正時になると、不図示のスピーカから報知音を発生するとともに、装飾体１１０が駆動する構成となっている。
【００１２】
この電子装置１の筐体１０は、所定の形状に成形された複数のケース部材を組付けてなるものである。筐体１０の正面には、文字板２０及び文字板２０を覆う透明板３０が装着されている。指針４１を駆動するムーブメント４０は、指針パイプ４２を文字板２０に貫通した状態で文字板２０の裏面に設けられている。ムーブメント４０の後方スペースには、所要の回路基板５０が設けられている。回路基板５０には、標準時刻電波を受信するアンテナ５１や、電子装置１を操作するためのスイッチ類５２が搭載されている。
【００１３】
また、筐体１０の背面の要所には、蓋体１３にて覆われる凹部１２が設けられており、スイッチ類５２は、凹部１２において露呈されている。蓋体１３は、筐体１０に対し、フック又はねじ止めにて着脱自在に装着されるものとなっている。或は、ヒンジにて開閉自在に構成してもよい。更に、この凹部１２には、電池６０をそれぞれ収納する複数の電池収納部１４（図例では４箇所）が設けられている。電子装置１は、電池収納部１４に収納された電池６０を電源とするものである。
【００１４】
駆動機構１００は、筐体１０の下部に設置されたモータ１２０にて装飾体１１０を駆動するものとなっている。装飾体１１０は、モータ１２０の出力部１２１に係合された状態で連結されており、水平方向に回転する。装飾体１１０の上部には、その回転軸となるボス１１１が設けられており、筐体１０の内部要所には、ボス１１１を軸受けする軸受け部１５が設けられている。文字板２０の下部には、装飾体１１０を正面側に露呈する開口部２１が設けられている。
【００１５】
次に、この電子装置１に設けられた緩衝装置について説明する。本例の緩衝装置は、電子装置１の筐体１０の内部に、装飾体１１０を保護する樹脂製の緩衝部材２００を装着してなるものである。筐体１０は、前述したように、電池６０をそれぞれ収納する複数の電池収納部１４を備えたものである。そして、電池収納部１４のうちの一つには、緩衝部材２００を外部から挿入して貫通する通孔１６を設けている。緩衝部材２００は、通孔１６に貫通して筐体１０の内部に装着されるプレート状ものである。
【００１６】
図４は、緩衝部材２００を装着した状態を示し、図５は、緩衝部材２００を取外した状態を示し、図６は、電池６０を収納した状態を示している。緩衝部材２００は、電子装置１の使用時には、取外すものである。これらの図に示すように、緩衝部材２００が装着された状態においては、緩衝部材２００の端部が電池収納部１４に食み出しており、これが電池収納部１４への電池６０の収納の妨げとなる。すなわち、使用者が誤って緩衝部材２００を装着したまま電子装置１を使用してしまうと、装飾体１１０の駆動に不具合が生じる恐れがあるものの、本例の構成によると、緩衝部材２００を装着したままでは電池６０を正常に収納し得ないので、そのような事態を確実に防止することができる。
【００１７】
また、本例の場合、筐体１０の内部に緩衝部材２００が装着された状態においては、緩衝部材２００の端部が蓋体１３に突き当たることにより、緩衝部材２００が抜け止めされるようになっている。このような構成によると、緩衝部材２００が正確に位置決めされるとともに安定的に固定されるので、装飾体１１０の保護の信頼性が確実に向上する。
【００１８】
更に、通孔１６には、筐体２０の内部に向って延出するパイプ状のガイド部１７を設けている。このような構成によると、緩衝部材２００の挿入方向がガイド部１７によって規制されるので、緩衝部材２００を装着する作業が容易化するという利点がある。緩衝部材２００は、より正確に位置決めされ、より安定的に固定される。かかるガイド部１７は、筐体１０の内部の隙間が小さい電子装置１において、極めて有効な手段である。
【００１９】
本例の緩衝部材２００は、その先端に溝部２１０が設けられており、装飾体１１０は、ボス１１１が溝部２１０に保持されることにより、上下左右にガタガタと揺れないように拘止される（図７参照）。尚、溝部２１０の内側には、ボス１１１を保持する際にクリック感覚を得るべく、適宜形状の段部２１１を設けてもよい（図８参照）。つまり、緩衝部材２００の挿入時に、溝部２１０にボス１１１が保持されたことを手に伝わる感触で容易に確かめることができるように構成することも可能である。
【００２０】
以上説明したように、本例の緩衝装置は、込み入った電子装置の筐体の内部に対し、極めて合理的に緩衝部材を装着し得るものである。緩衝部材を装着したまま電子装置を使用してしまう心配もない。尚、本例における各部の構成は、特許請求の範囲に記載した技術的範囲において適宜に設計変更が可能であり、図例説明したものに限定されないことは勿論である。本例では、装飾体を駆動する時計装置について説明したが、本例の構成は、筐体の内部に緩衝部材を装着するその他各種の電子装置に応用することが可能である。
【産業上の利用可能性】
【００２１】
本発明の緩衝装置は、筐体の内部に緩衝部材を配置する電子装置に好適に利用することが可能である。
【図面の簡単な説明】
【００２２】
【図１】本発明の実施例に係り、時計装置を示す正面図である。
【図２】本発明の実施例に係り、時計装置（緩衝部材を装着し且つ蓋体を外した状態）を示す背面図である。
【図３】本発明の実施例に係り、時計装置（緩衝部材を装着した状態）を示す側面断面図である。
【図４】本発明の実施例に係り、時計装置の要所（緩衝部材を装着した状態）を示す側面断面図である。
【図５】本発明の実施例に係り、時計装置の要所（緩衝部材を取外した状態）を示す側面断面図である。
【図６】本発明の実施例に係り、時計装置の要所（電池を収納した状態）を示す側面断面図である。
【図７】本発明の実施例に係り、装着された緩衝部材を示す上面図である。
【図８】本発明の実施例に係り、装着された緩衝部材を示す上面図である。
【符号の説明】
【００２３】
１    電子装置
１０    筐体
１２    凹部
１３    蓋体
１４    電池収納部
１５    軸受け部
１６    通孔
１７    ガイド部
２０    文字板
２１    開口部
３０    透明板
４０    ムーブメント
４１    指針
４２    指針パイプ
５０    回路基板
５１    アンテナ
５２    スイッチ類
６０    電池
１００    駆動機構
１１０    装飾体
１１１    ボス
１２０    モータ
１２１    出力部
２００    緩衝部材
２１０    溝部
２１１    段部
【図１】
2008247438.tif 000003
【図２】
2008247438.tif 000004
【図３】
2008247438.tif 000005
【図４】
2008247438.tif 000006
【図５】
2008247438.tif 000007
【図６】
2008247438.tif 000008
【図７】
2008247438.tif 000009
【図８】
2008247438.tif 000010